(57)【要約】      （修正有）【課題】舗装工事等の施工現場で、舗装用レーキで敷き広げ敷き均し作業をしながら、必要に応じて、舗装材等の剥離清掃をするには、スクレイパー等の剥離清掃するための道具を常に手元におく必要があり、舗装用レーキの柄の後部に脱着可能なスクレイパー等を装着しておけば、速やかに剥離清掃作業が行え、効率的な舗装施工及び、品質向上が可能となる安全な道具として、スクレイパー付舗装用レーキを提供する。【解決手段】スクレイパー付舗装用レーキ１は、均し板５と柄２と取付け金具４とスクレイパー６とを有し、均し板５と取付け金具４は、ボルト・ナット３ａよって固定され、柄２と取付け金具４はボルト・ナット３によって固定されている。柄２の後部に脱着可能なスクレイパー６が差込で装着されている。【選択図】図１
0003146450.tif 000002
【実用新案登録請求の範囲】
【請求項１】
均し板と柄とを有する舗装用レーキにおいて、
前記柄の後部に、脱着が可能なスクレイパーが内蔵されて装着されていることを特徴とする舗装用レーキ。
【考案の詳細な説明】
【技術分野】
【０００１】
本考案は、道路等の舗装を行う際に、舗装用レーキの柄の後部に、脱着が可能なスクレイパーを内蔵して装着することで、アスファルト合材等の舗装材等の敷き均し及び、必要に応じて、舗装材等の付着物の剥離清掃をすることができる舗装用レーキに関するものである。
【背景技術】
【０００２】
道路等の舗装・補修時の施工には、アスファルト合材等の舗装材等を該当範囲に敷き広げ敷き均し等に、舗装用レーキが利用されていることは良く知られている。又、舗装工事等の施工には、舗装用レーキの他にスコップ等の道具も使用される。これらの舗装用の道具には通常アスファルト合材等の舗装材等の付着を防ぐために軽油等を塗布しながら使用される。しかしながら、舗装材等の付着は避けられず、剥離清掃しながら使用しなければならない。舗装材等は、施工する人の靴底や、転圧機械のローラーの表面にも付着しやすい。
【０００３】
舗装工事等の施工範囲内には縁石や側溝やマンホール等の各種の構造物が設置されていることが多く、これらの構造物等に舗装材等の付着があれば、剥離清掃しなければならない。
【０００４】
通常、施工現場での、舗装材等の付着物の剥離清掃に、舗装用レーキの均し板部やスコップ等も使用されているが、圧着したものや、細部に付着したものについては、スクレイパー等で、剥離清掃した方が効率よく作業ができる。
【考案の開示】
【考案が解決しようとする課題】
【０００５】
しかしながら、施工現場で舗装用レーキを使用しながら、必要に応じて効率的にスクレイパー等を使用するには、常に手元にあることが必要であり、そのためには、腰に付けるようなバックや作業服のポケット等に入れておかねばならい。しかし、スクレイパー等には鋭利な刃付けがされていることが多く、刃に保護カバーを着けたとしても、常に危険であり、別途に保持する煩わしさという問題点があった。
【０００６】
本考案は、前記した従来の均し板と柄とを有する舗装用レーキを使用しながら、必要に応じてスクレイパー作業をするための問題点を解決するためになされたものであり、その課題とするところは、柄の後部に脱着可能なスクレイパーを内蔵することにより、通常の舗装用レーキの敷き広げ敷き均し作業と、必要に応じて、柄の後部から、速やかにスクレイパーを取り出して、道具、機械、構造物等に付着した舗装材等の剥離清掃をすることにより、安全で効率的な舗装施工及び、品質向上を可能とする舗装用レーキを提供することにある。
【課題を解決するための手段】
【０００７】
そして、上記目的を達成するためになされた本考案は、均し板と柄を有する舗装用レー
キの柄の後部に脱着可能なスクレイパーを内蔵して装着することにある。
【０００８】
本考案のスクレイパー付舗装用レーキによれば、舗装工事等の施工現場で、舗装材等の敷き広げ敷き均し作業をしながら、必要に応じて、舗装材等の剥離清掃をするときに、速やかにスクレイパーを取り出すことができることと、柄の後部に内蔵して装着することで、別途、バックやポケット等に入れておく煩わしさや、安全の確保を図るという問題点を解決している。
【考案の効果】
【０００９】
上述した本考案のスクレイパー付舗装用レーキによれば、舗装材等の敷き広げ敷き均し及び、必要に応じての舗装材等の付着物の剥離清掃をするとき、スクレイパーを速やかに取り出すことができ、又、柄の後部に内蔵して装着されていることで、施工現場での、道具や施工をする人の靴底や施工機械及び、構造物等に付着した舗装材等を、その都度、剥離清掃することができ、安全で効率的な舗装施工及び、品質向上を可能とすることができる。
【考案を実施するための最良の形態】
【００１０】
舗装用レーキの柄の後部に、脱着可能なスクレイパーを内蔵して装着することで、常に手元にスクレイパーを安全に保持することができ、舗装工事等の施工現場で、必要に応じて、速やかに舗装材等の剥離清掃が行える。
【００１１】
以下、本考案の実施の形態を図１〜図４に基づいて詳細に説明する。
本形態のスクレイパー付舗装用レーキ１は、図１〜図４に示すように、均し板５と棒状の柄２と取付け金具４とスクレイパー６とを有し、均し板５と取付け金具４は、均し板５はボルト・ナット３ａによって固定され、柄２と取付け金具４はボルト・ナット３によって固定されている。スクレイパー６は柄２の後部に差し込みで、内蔵されている。均し板5は木製であり、取付け金具４と柄２はアルミ等の金属製のものを使用している。スクレイパー６の刃７は鋼製で、取っ手８は樹脂製を使用している。
【００１２】
スクレイパー６の取っ手８には、脱落防止のために、柄２との固定用に突起９が取り付けられている。突起９はゴム製等で弾力性があり、柄２への差し入れや、柄２からの取り出しが容易にできる。
【００１３】
以上詳細に説明したように、本形態のスクレイパー付舗装用レーキ１によれば、舗装材等の敷き広げ敷き均し及び、必要に応じて舗装材等の付着物の剥離清掃をするとき、スクレイパー６を柄２の後部より、速やかに取り出すことができ、又作業が終われば、柄２の後部に、差し入れて内蔵しておくことができる。このように舗装用レーキにスクレイパーが内蔵して装着されていることは、必要に応じて、その都度、速やかに付着物の剥離清掃作業ができ、安全で効率的な舗装施工及び、品質向上を可能とすることができるスクレイパー付舗装用レーキ１となっている。
【００１４】
なお、本実施の形態は単なる例示にすぎず、本考案を何ら限定しない。したがって本考案は必然的にその要旨を逸脱しない範囲内で種々の改良、変形が可能である。
例えば、均し板５や柄２やスクレイパー６の材質は上記の例に限らない。又、均し板5の
形状は平板に限らず曲面の形状でもよく、取付け方法も上記に限らず、着脱交換が可能であればよい。
【図面の簡単な説明】
【００１５】
【図１】本形態に係るスクレイパー付舗装用レーキ一例を示す一部破断側面図。
【図２】図１の上正面図。
【図３】図１の柄の後部に内蔵して装着されているスクレイパーの側面図。
【図４】図３の左側面図。
【符号の説明】
【００１６】
１スクレイパー付舗装用レーキ
２柄
３ボルト・ナット
３ａボルト・ナット
４取り付け金具
５均し板
６スクレイパー
７スクレイパーの刃
８取っ手
９脱落防止の突起
【図１】
0003146450.tif 000003
【図２】
0003146450.tif 000004
【図３】
0003146450.tif 000005
【図４】
0003146450.tif 000006